(57)【要約】【課題】ユーザの意図により配置されたオブジェクトを、当該ユーザに認識させやすくする。【解決手段】表示装置１０は、正面に第１表示面１３１を有し、背面に第２表示面１３２を有する。第１表示面１３１上のアイコンＩ１の表示位置を指示する操作を接触センサ１２１により受け付けると、アイコンＩ１ｓを第２表示面１３２に配置する。アイコンＩ１とアイコンＩ１ｓとは同じ機能を表し、例えば、同じアプリケーションプログラムに対応している。表示装置１０は、アイコンＩ１ｓを選択する操作を接触センサ１２２により受け付けると、アイコンＩ１ｓに対応したアプリケーションプログラムを実行して、第１表示面１３１で当該アプリケーションプログラムに対応したコンテンツを表示する。【選択図】図６
2015170290.tif 000002
【特許請求の範囲】
【請求項１】
第１表示面と第２表示面とを含む表示部と、
前記第１表示面上の位置を指示する第１操作を受け付ける第１受付部と、
所定の機能を表す第１オブジェクトを前記第１表示面に表示し、当該第１オブジェクトの表示位置を指示する前記第１操作が受け付けられた場合、当該機能を実行させるために操作される第２オブジェクトを、前記第２表示面に表示する表示制御部と
を備える表示装置。
【請求項２】
前記第２オブジェクトを選択する第２操作を受け付ける第２受付部を備え、
前記表示制御部は、
前記第２操作が受け付けられた場合、前記機能を実行したときに表示される第３オブジェクトを、前記第１表示面において表示する
ことを特徴とする請求項１に記載の表示装置。
【請求項３】
前記表示制御部は、
前記第２操作で選択された前記第２オブジェクトを、前記第２表示面から削除する
ことを特徴とする請求項２に記載の表示装置。
【請求項４】
前記第２オブジェクトの表示位置を変更する第３操作を受け付ける第３受付部を備え
前記表示制御部は、
前記第３操作が受け付けられるときに、前記第２表示面の表示画面を前記第１表示面において透過表示し、前記第３操作で変更された表示位置に、前記第２オブジェクトを表示する
ことを特徴とする請求項１から請求項３のいずれか１項に記載の表示装置。
【請求項５】
前記表示制御部は、
前記第２オブジェクトの表示位置を、ユーザの指示なしに決定する
ことを特徴とする請求項１から請求項３のいずれか１項に記載の表示装置。
【請求項６】
前記第１操作に応じて、前記機能の表示属性を設定する設定部を備え、
前記表示制御部は、
前記設定部が設定した前記表示属性に従って、前記第２オブジェクトを表示する
ことを特徴とする請求項１から請求項５のいずれか１項に記載の表示装置。
【請求項７】
前記設定部は、
前記第１操作が行われたときに前記第１表示面が指示された時間の長さ、又は、前記第１表示面に作用した力の大きさに応じて、前記表示属性を設定する
ことを特徴とする請求項６に記載の表示装置。
【請求項８】
前記第１表示面と前記第２表示面とは、互いに正反対を向く
ことを特徴とする請求項１から請求項７のいずれか１項に記載の表示装置。
【請求項９】
第１表示面と第２表示面とを含む表示部に画像を表示する表示方法であって、
前記第１表示面上の位置を指示する操作を受け付けるステップと、
所定の機能を表す第１オブジェクトを前記第１表示面に表示し、当該第１オブジェクトの表示位置を指示する前記操作が受け付けられた場合、当該機能を実行させるために操作される第２オブジェクトを、前記第２表示面に表示するステップと
を備える表示方法。
【請求項１０】
第１表示面と第２表示面とを含む表示部を制御するコンピュータに、
前記第１表示面上の位置を指示する操作を受け付けるステップと、
所定の機能を表す第１オブジェクトを前記第１表示面に表示し、当該第１オブジェクトの表示位置を指示する前記操作が受け付けられた場合、当該機能を実行させるために操作される第２オブジェクトを、前記第２表示面に表示するステップと
を実行させるためのプログラム。
【発明の詳細な説明】
【技術分野】
【０００１】
本発明は、アイコン等のオブジェクトの表示制御に関する。
【背景技術】
【０００２】
タッチパネルを採用した表示装置では、アイコンを一覧表示するグラフィカルユーザインターフェイス(ＧＵＩ；Graphical User Interface)の機能を有する装置が多い。特にスマートフォンやタブレット端末等の端末装置では、多機能が故にアイコンの数が増大しやすい。このため、ユーザは、操作する頻度が高いアイコンを、自身が分かりやすい場所に配置することがある。例えば、特許文献１は、メニュー画面に含まれるアイコンが長押しされると、当該アイコンに対応するショートカットアイコンを、デスクトップ選択画面の同じ位置に配置することを開示している。
【先行技術文献】
【特許文献】
【０００３】
【特許文献１】特開２０１２−２０８７１２号公報
【発明の概要】
【発明が解決しようとする課題】
【０００４】
特許文献１に開示された技術では、メニュー画面に含まれるアイコンと、デスクトップ選択画面に含まれるショートカットアイコンとが、同一表示面上の同一位置に表示される。このため、ユーザが、表示中の画面が何であるかを認識していないと、自身が配置させたショートカットアイコンと、他のアイコンとを誤認する可能性がある。
そこで、本発明の目的は、ユーザの意図により配置されたオブジェクトを、当該ユーザに認識させやすくすることである。
【課題を解決するための手段】
【０００５】
上述した課題を解決するため、本発明の表示装置は、第１表示面と第２表示面とを含む表示部と、前記第１表示面上の位置を指示する第１操作を受け付ける第１受付部と、所定の機能を表す第１オブジェクトを前記第１表示面に表示し、当該第１オブジェクトの表示位置を指示する前記第１操作が受け付けられた場合、当該機能を実行させるために操作される第２オブジェクトを、前記第２表示面に表示する表示制御部とを備える。
【０００６】
本発明の表示装置において、前記第２オブジェクトを選択する第２操作を受け付ける第２受付部を備え、前記表示制御部は、前記第２操作が受け付けられた場合、前記機能を実行したときに表示される第３オブジェクトを、前記第１表示面において表示してもよい。
この表示装置において、前記表示制御部は、前記第２操作で選択された前記第２オブジェクトを、前記第２表示面から削除してもよい。
【０００７】
本発明の表示装置において、前記第２オブジェクトの表示位置を変更する第３操作を受け付ける第３受付部を備え前記表示制御部は、前記第３操作が受け付けられるときに、前記第２表示面の表示画面を前記第１表示面において透過表示し、前記第３操作で変更された表示位置に、前記第２オブジェクトを表示してもよい。
本発明の表示装置において、前記表示制御部は、前記第２オブジェクトの表示位置を、ユーザの指示なしに決定してもよい。
【０００８】
本発明の表示装置において、前記第１操作に応じて、前記機能の表示属性を設定する設定部を備え、前記表示制御部は、前記設定部が設定した前記表示属性に従って、前記第２オブジェクトを表示してもよい。
この表示装置において、前記設定部は、前記第１操作が行われたときに前記第１表示面が指示された時間の長さ、又は、前記第１表示面に作用した力の大きさに応じて、前記表示属性を設定してもよい。
【０００９】
本発明の表示装置において、前記第１表示面と前記第２表示面とは、互いに正反対を向いてもよい。
【００１０】
本発明の表示方法は、第１表示面と第２表示面とを含む表示部に画像を表示する表示方法であって、前記第１表示面上の位置を指示する操作を受け付けるステップと、所定の機能を表す第１オブジェクトを前記第１表示面に表示し、当該第１オブジェクトの表示位置を指示する前記操作が受け付けられた場合、当該機能を実行させるために操作される第２オブジェクトを、前記第２表示面に表示するステップとを備える。
【００１１】
本発明のプログラムは、第１表示面と第２表示面とを含む表示部を制御するコンピュータに、前記第１表示面上の位置を指示する操作を受け付けるステップと、所定の機能を表す第１オブジェクトを前記第１表示面に表示し、当該第１オブジェクトの表示位置を指示する前記操作が受け付けられた場合、当該機能を実行させるために操作される第２オブジェクトを、前記第２表示面に表示するステップとを実行させるためのプログラムである。
【発明の効果】
【００１２】
本発明によれば、ユーザの意図により配置されたオブジェクトを、当該ユーザに認識させやすくすることができる。
【図面の簡単な説明】
【００１３】
【図１】本発明の一実施形態に係る表示装置の外観構成を示す平面図。
【図２】同実施形態に係る表示装置のハードウェア構成を示すブロック図。
【図３】同実施形態に係る表示装置が表示する操作画面の一例を示す図。
【図４】同実施形態に係る表示装置の制御部の機能構成を示す機能ブロック図。
【図５】同実施形態の動作例１に係る表示装置が第２表示面にアイコンを配置するときに実行する処理を示すフローチャート。
【図６】同実施形態の動作例１に係る表示装置が第２表示面にアイコンを配置するときに表示する画面例を示す図。
【図７】同実施形態の動作例１に係る表示装置が第２表示面のアイコンが選択されたときに実行する処理を示すフローチャート。
【図８】同実施形態の動作例１に係る表示装置が第２表示面のアイコンが選択されたときに表示する画面例を示す図。
【図９】同実施形態の動作例２に係る表示装置が第２表示面にアイコンを配置するときに実行する処理を示すフローチャート。
【図１０】同実施形態の動作例２に係る表示装置が第２表示面にアイコンを配置するときに表示する画面例を示す図。
【図１１】同実施形態の動作例２に係る表示装置がアイコンの配置後に表示する第２表示面の画面例を示す図。
【図１２】同実施形態の動作例２に係る表示装置が第２表示面のアイコンが選択されたときに実行する処理を示すフローチャート。
【図１３】同実施形態の動作例２に係る表示装置が第２表示面のアイコンが選択されたときに表示する画面例を示す図。
【図１４】同実施形態の動作例２に係る表示装置が第２表示面にクリップボードを表示するときの画面例を示す図。
【図１５】本発明の変形例１に係る表示装置が第２表示面にアイコンを配置するときに実行する処理を示すフローチャート。
【図１６】同変形例に係る表示装置が第２表示面にアイコンを配置するときに表示する画面例を示す図。
【図１７】同変形例に係る表示装置が第２表示面にアイコンの配置後に表示する画面例を示す図。
【図１８】同変形例に係る表示装置が第２表示面にアイコンを配置するときに表示する他の画面例を示す図。
【図１９】本発明の変形例２に係る表示装置が第２表示面にアイコンを配置するときに実行する処理を示すフローチャート。
【図２０】同変形例に係る表示装置が第２表示面にアイコンを配置するときに表示する画面例を示す図。
【図２１】本発明の変形例３に係る表示装置が第２表示面にアイコンを配置するときに表示する画面例を示す図。
【発明を実施するための形態】
【００１４】
以下、図面を参照しつつ本発明の実施形態を説明する。
図１は、表示装置１０の外観構成を示す平面図である。図１（ａ）は、表示装置１０の正面図である。図１（ｂ）は、表示装置１０の背面図である。以下の説明において、表示装置１０における上下左右の各方向は、図面の上下左右の各方向と一致する。
表示装置１０は、タッチパネルを採用した表示装置であり、ここではスマートフォンである。表示装置１０は、外観構成が略直方体状である。表示装置１０は、独立した２つの表示面として、矩形の第１表示面１３１を正面に有し、矩形の第２表示面１３２を背面に有する。このため、第１表示面１３１と第２表示面１３２とは、互いに正反対を向いている。第１表示面１３１の上下方向の寸法は、第２表示面１３２の上下方向の寸法よりも大きい。第１表示面１３１の左右方向の寸法は、第２表示面１３２の左右方向の寸法と同じである。表示装置１０を正面から見たときの第１表示面１３１の左上隅点Ｐ１と、表示装置１０を背面から見たときの第２表示面１３２の右上隅点Ｐ２とは、第１表示面１３１（又は第２表示面１３２）の法線方向において重なり合う。
更に、表示装置１０は、第１表示面１３１の全体に重ねられた接触センサ１２１と、第２表示面１３２の全体に重ねられた接触センサ１２２とを有する。
【００１５】
図２は、表示装置１０のハードウェア構成を示すブロック図である。図２に示すように、表示装置１０は、制御部１１と、センサ部１２と、表示部１３と、通信部１４と、記憶部１５とを備える。
制御部１１は、ＣＰＵ（Central Processing Unit）を含む演算処理装置と、ＲＯＭ(Read Only Memory)及びＲＡＭ（Random Access Memory）を含むメインメモリとを有するマイクロコンピュータを有する。例えば、ＣＰＵは、ＲＯＭや記憶部１５に記憶されたプログラムをＲＡＭに読み出して実行することにより、表示装置１０の各部を制御する。
【００１６】
センサ部１２は、接触センサ１２１と接触センサ１２２とを含む。接触センサ１２１は、第１表示面１３１上の位置を指示する操作（ここでは、接触操作）を検出するセンサである。接触センサ１２２は、第２表示面１３２上の位置を指示する操作（ここでは、接触操作）を検出するセンサである。接触センサ１２１，１２２は、指示体（典型的には、ユーザの指）を用いて指示された位置を示す操作信号を、制御部１１へ出力する。接触センサ１２１，１２２は、例えば静電容量型のセンサを用いて構成されるが、抵抗膜型や赤外光型のセンサ等の他方式のセンサを用いて構成されてもよい。
【００１７】
表示部１３は、例えば液晶ディスプレイを用いて構成され、第１表示面１３１と第２表示面１３２とを含む。表示部１３は、例えば、第１表示面１３１に画像を表示するための記憶領域であるＶＲＡＭ（Video RAM）と、第２表示面１３２に画像を表示するための記憶領域であるＶＲＡＭとを個別に有する。
【００１８】
通信部１４は、例えば無線通信回路及びアンテナを有し、ネットワークに接続して通信するためのインタフェースである。記憶部１５は、ＥＥＰＲＯＭ（Electronically Erasable and Programmable ROM）やフラッシュメモリ等の記憶装置である。記憶部１５は、例えば、制御部１１により実行される制御プログラム、及び、表示装置１０にインストールされた各種のアプリケーションプログラムを記憶する。
表示装置１０は、図１に示す構成以外にも、汎用のスマートフォンと共通の構成を備える。また、表示装置１０は、センサ部１２及び表示部１３を用いてＧＵＩを実現する。
【００１９】
図３は、表示装置１０が表示する操作画面の一例を示す図である。操作画面は、ユーザが表示装置１０に対して操作を行うときに表示される画面である。図３（ａ）は、第１表示面１３１に表示される第１操作画面Ｒ１である。図３（ｂ）は、第２表示面１３２に表示される第２操作画面Ｒ２である。第１操作画面Ｒ１及び第２操作画面Ｒ２は、例えば、表示装置１０のホーム画面（又はデスクトップ画面）であるが、この例に限られない。
【００２０】
第１操作画面Ｒ１は、アイコンＩ１〜Ｉ９が配置された画面である。アイコンＩ１〜Ｉ９の各々は、表示装置１０にインストールされたアプリケーションプログラムを表すオブジェクトである。アイコンＩ１〜Ｉ９の各々は、ユーザが操作可能であり、対応するアプリケーションプログラムを実行させるときに操作される。第２操作画面Ｒ２は、ウィンドウＷが配置された画面である。ウィンドウＷは、時計機能を表すオブジェクトである。ウィンドウＷも、ユーザが操作可能なオブジェクトである。
【００２１】
次に、表示装置１０で実現されるＧＵＩに関わる機能について説明する。
図４は、表示装置１０の制御部１１の機能構成を示す機能ブロック図である。図４に示すように、表示装置１０の制御部１１は、制御プログラムを実行することにより、第１受付部１１１と、第２受付部１１２と、表示制御部１１３とに相当する機能を実現する。図４において、破線枠で示した「第３受付部１１４」及び「表示属性設定部１１５」は、後で説明する変形例に関わる機能であり、この実施形態には関係ないものとする。
【００２２】
第１受付部１１１は、接触センサ１２１から供給される操作信号に基づいて、第１表示面１３１上の位置を指示する操作（第１操作）を受け付ける。
第２受付部１１２は、接触センサ１２２から供給される操作信号に基づいて、第２表示面１３２上の位置を指示する操作を受け付ける。例えば、第２受付部１１２は、第２表示面１３２に表示された第２オブジェクト（例えばアイコン）を選択する操作（第２操作）を受け付ける。
【００２３】
表示制御部１１３は、表示部１３を制御して、第１表示面１３１と第２表示面１３２とに画像を表示する。表示制御部１１３は、所定の機能を表す第１オブジェクト（例えばアイコン又はコンテンツ）を、第１表示面１３１に表示する。そして、表示制御部１１３は、当該オブジェクトの表示位置を指示する操作が、第１受付部１１１により受け付けられた場合、当該機能を実行させるために操作される第２オブジェクトを、第２表示面１３２に表示する。
また、表示制御部１１３は、第２表示面１３２に表示されたオブジェクトを選択する操作が、第２受付部１１２により受け付けられた場合、当該オブジェクトが表す機能を実行したときに表示される第３オブジェクト（例えばコンテンツ）を、第１表示面１３１に表示する。
【００２４】
表示制御部１１３において、第１表示制御部１１３ａは、表示部１３のＶＲＡＭに画面データ（例えばビットマップデータ）を書き込むことにより、第１表示面１３１を用いた画面表示を行う。第２表示制御部１１３ｂは、表示部１３のＶＲＡＭに画面データ（例えばビットマップデータ）を書き込むことにより、第２表示面１３２を用いた画面表示を行う。
次に、表示装置１０の動作を説明する。
【００２５】
＜動作例１＞
まず、表示装置１０の動作例１を説明する。
図５は、表示装置１０が第２表示面１３２にアイコンを配置するときに実行する処理の流れを示すフローチャートである。図６は、表示装置１０が第２表示面にアイコンを配置するときに表示する画面例を示す図である。
表示装置１０の制御部１１は、表示部１３を制御して、第１表示面１３１に第１操作画面Ｒ１を表示する（ステップＳＡ１）。このとき、制御部１１は、第２表示面１３２に画面表示（例えば、第２操作画面Ｒ２を表示）してもよいし、画面表示しなくてもよい。
【００２６】
次に、制御部１１は、第１操作画面Ｒ１のアイコンの長押し操作を受け付けたかどうかを判断する（ステップＳＡ２）。オブジェクト（アイコン）の長押し操作は、一のオブジェクトの表示位置を所定時間（例えば３秒）継続して指示する操作である。
ここで、図６（ａ）に示すように、第１操作画面Ｒ１のアイコンＩ１が、ユーザの指Ｆによって長押し操作された場合を考える。この場合、制御部１１は、ステップＳＡ２の処理で「ＹＥＳ」と判断し、ステップＳＡ３の処理に進める。
なお、図６及び以下で説明する各図において、長押し操作されたアイコンを斜線部で表す。
【００２７】
次に、制御部１１は、長押し操作されたアイコンが表すアプリケーションプログラムについて、第２操作画面Ｒ２にアイコンを配置（作成）し、表示する（ステップＳＡ３）。長押し操作されたアイコンと、第２操作画面Ｒ２に新たに配置されるアイコンとは、同じアプリケーションプログラムに対応する。第２操作画面Ｒ２に配置されるアイコンは、いわゆるショートカット機能を実行するアイコンであってもよい。アイコンＩ１が長押し操作された場合、図６（ｂ）に示すように、制御部１１は、第２操作画面Ｒ２にアイコンＩ１ｓを配置する。制御部１１は、第２操作画面Ｒ２において、別のオブジェクト（ここではウィンドウＷ）と重ならない位置に、アイコンを配置する。また、制御部１１は、第２操作画面Ｒ２にアイコンＩ１ｓを配置すると、直ちに第２表示面１３２に第２操作画面Ｒ２を表示してもよいし、後のタイミングで表示してもよい。
更に、制御部１１は、長押し操作されたアイコンの表示形態として、第２表示面１３２側に押し込まれていく様子を模した表示（例えば、アイコンの濃度を徐々に低くする表示）を、第１表示面１３１において行ってもよい。また、制御部１１は、第２表示面１３２にアイコンを配置するときの表示形態として、アイコンの濃度を徐々に高くしてもよい。
【００２８】
次に、制御部１１は、第１操作画面Ｒ１の表示を終了するかどうかを判断する（ステップＳＡ４）。制御部１１は、第１操作画面Ｒ１の表示を継続する場合は（ステップＳＡ４；ＮＯ）、ステップＳＡ２の処理に戻す。他方、制御部１１は、別の画面に遷移させたり、第１表示面１３１の画面表示を終了したりする場合は、ステップＳＡ４の処理で「ＹＥＳ」と判断し、第１操作画面Ｒ１の表示を終了する。
なお、ステップＳＡ２の処理で、アイコンの長押し操作を受け付けていないと判断した場合（ステップＳＡ２；ＮＯ）、制御部１１は、ステップＳＡ４の処理に進める。また、図５には示していないが、制御部１１は、第１操作画面Ｒ１のアイコンを指示する接触操作を受け付けた場合に、当該操作が長押し操作でないときには、そのアイコンに対応したアプリケーションプログラムを記憶部１５から読み出して、実行する。
【００２９】
次に、第２表示面１３２に配置されたアイコンを選択する操作を受け付けるときの表示装置１０の動作を説明する。
図７は、表示装置１０が第２表示面１３２のアイコンが選択されたときに実行する処理の流れを示すフローチャートである。図８は、表示装置１０が第２表示面１３２のアイコンが選択されたときに表示する画面例を示す図である。以下の動作前において、第１操作画面Ｒ１及び第２操作画面Ｒ２は、図６（ｂ）で説明した画面とする。
表示装置１０の制御部１１は、表示部１３を制御して、第２表示面１３２に第２操作画面Ｒ２を表示する（ステップＳＢ１）。このとき、制御部１１は、第１表示面１３１に画面表示（例えば、第１操作画面Ｒ１を表示）してもよいし、画面表示しなくてもよい。
【００３０】
次に、制御部１１は、第２操作画面Ｒ２のアイコンを選択する操作を受け付けたかどうかを判断する（ステップＳＢ２）。アイコンを選択する操作は、当該アイコンの表示位置を指示する操作（例えば短押し操作）である。
ここで、図８（ａ）に示すように、第２操作画面Ｒ２のアイコンＩ１ｓが、ユーザの指Ｆによって行われた操作で選択された場合を考える。この場合、制御部１１は、ステップＳＢ２の処理で「ＹＥＳ」と判断し、ステップＳＢ３の処理に進める。
【００３１】
次に、制御部１１は、選択されたアイコンに対応するコンテンツを、第１表示面１３１に表示する（ステップＳＢ３）。このコンテンツは、アプリケーションプログラムの実行中の表示画面を表すオブジェクトである。アイコンＩ１ｓが選択された場合、図８（ｂ）に示すように、制御部１１は、アイコンＩ１ｓに対応するアプリケーションプログラムを実行し、第１表示面１３１にコンテンツを表示する。このコンテンツは、例えば、第１操作画面Ｒ１のアイコンＩ１が選択された場合に表示されるコンテンツと同じである。
【００３２】
次に、制御部１１は、第２操作画面Ｒ２の表示を終了するかどうかを判断する（ステップＳＢ４）。制御部１１は、第２操作画面Ｒ２の表示を継続する場合は（ステップＳＢ４；ＮＯ）、ステップＳＢ２の処理に戻す。他方、制御部１１は、別の画面に遷移させたり、第２表示面１３２の画面表示を終了したりする場合は、ステップＳＢ４の処理で「ＹＥＳ」と判断し、第２操作画面Ｒ２の表示を終了する。
なお、ステップＳＢ２の処理でアイコンを選択する操作を受け付けていないと判断した場合（ステップＳＢ２；ＮＯ）、制御部１１は、ステップＳＢ４の処理に進める。
【００３３】
本動作例１によれば、第１操作画面Ｒ１に複数のアイコンが配置されている場合であっても、ユーザは、所望するアイコン（例えば、利用する頻度の高いアプリケーションプログラムのアイコン）を第２操作画面Ｒ２に配置し、後でこのアイコンを選択しやすくすることができる。ユーザにとっては、長押し操作で選択したアイコンが、第１表示面１３１とは別の第２表示面１３２に表示されるので、自身の意図によって配置されたアイコンを認識しやすい。
【００３４】
また、ユーザは、アイコンを第１表示面１３１に押し込むような感覚で、長押し操作をして、その奥側にある第２表示面１３２にアイコンを配置させる。このため、ユーザにとっては、第２表示面１３２にアイコンを配置させるための操作が直感的で分かりやすく、また、操作上の面白みを享受することもできる。
【００３５】
＜動作例２＞
次に、表示装置１０の動作例２を説明する。
動作例２において、表示装置１０は、第１表示面１３１に表示するコンテンツに基づいて、第２表示面１３２にアイコンを配置する。
図９は、表示装置１０が第２表示面１３２にアイコンを配置するときに実行する処理の流れを示すフローチャートである。図１０は、表示装置１０が第２表示面１３２にアイコンを配置するときに表示する画面例を示す図である。
表示装置１０の制御部１１は、表示部１３を制御して、第１表示面１３１にコンテンツを表示する（ステップＳＣ１）。コンテンツは、ここでは、ブラウザプログラムを実行して表示されるウェブコンテンツとする。
【００３６】
次に、制御部１１は、表示中のコンテンツに対する長押し操作を受け付けたかどうかを判断する（ステップＳＣ２）。ここで、図１０（ａ）に示すように、ウェブコンテンツＡがユーザの指Ｆによって長押し操作された場合を考える。この場合、制御部１１は、ステップＳＣ２の処理で「ＹＥＳ」と判断し、ステップＳＣ３の処理に進める。
【００３７】
次に、制御部１１は、長押し操作されたコンテンツに対応するアイコンを、第２操作画面Ｒ２に配置（作成）し、表示する（ステップＳＣ３）。このアイコンは、長押し操作されたコンテンツの表示機能を実行するためのアイコンである。ウェブコンテンツＡが長押し操作された場合、図１０（ｂ）に示すように、制御部１１は、アイコンｗｅｂＡを第２操作画面Ｒ２に配置する。制御部１１は、第２操作画面Ｒ２において、別のオブジェクト（ここではウィンドウＷ）と重ならない位置に、アイコンを配置する。また、制御部１１は、長押し操作されたコンテンツを表すコンテンツデータ（例えば、クリップボード）を、記憶部１５に記憶させる。
【００３８】
次に、制御部１１は、第１表示面１３１に、別のコンテンツを表示するかどうかを判断する（ステップＳＣ４）。ステップＳＣ４の処理で「ＹＥＳ」と判断した場合、制御部１１は、第１表示面１３１に別のコンテンツを表示する（ステップＳＣ５）。例えば、制御部１１は、ユーザが行った操作に応じて、ウェブコンテンツＡに代えてウェブコンテンツＢを表示する（図１０（ｂ）参照）。この表示により、制御部１１は、先に表示していたウェブコンテンツＡに対応するアイコンｗｅｂＡを、第２表示面１３２に配置しこれを維持したまま、別のウェブコンテンツＢを第１表示面１３１に表示することとなる。
【００３９】
制御部１１は、第１表示面１３１でのコンテンツの表示を終了するかどうかを判断する（ステップＳＣ６）。制御部１１は、コンテンツの表示を継続する場合は（ステップＳＣ６；ＮＯ）、ステップＳＣ２の処理に戻す。他方、制御部１１は、別の画面に遷移させたり、第１表示面１３１の画面表示を終了したりする場合は、ステップＳＣ６の処理で「ＹＥＳ」と判断し、第１表示面１３１でのコンテンツの表示の表示を終了する。
ステップＳＣ２の処理でコンテンツの長押し操作を受け付けていないと判断した場合（ステップＳＣ２；ＮＯ）、又は、ステップＳＣ４の処理で別のコンテンツを表示しないと判断した場合（ステップＳＣ４；ＮＯ）、制御部１１は、ステップＳＣ６の処理に進める。
【００４０】
表示装置１０は、第１表示面１３１で複数のコンテンツを表示した場合、その各コンテンツについて、第２表示面１３２にアイコンを配置することが可能である。例えば、ウェブコンテンツＡ，Ｂ，Ｃの順でアイコンが配置されると、制御部１１は、図１１に示すように、ｗｅｂＡ，ｗｅｂＢ，ｗｅｂＣのアイコンを、第２操作画面Ｒ２上に配置する。制御部１１は、例えば、作成順にアイコンを並べて表示する。
【００４１】
次に、第２表示面１３２に配置されたアイコンを選択する操作を受け付けるときの表示装置１０の動作を説明する。
図１２は、表示装置１０が第２表示面１３２のアイコンが選択されたときに実行する処理の流れを示すフローチャートである。図１３は、表示装置１０が第２表示面１３２のアイコンが選択されたとき表示する画面例を示す図である。以下の動作前にあって、第２操作画面Ｒ２は、図１１で説明した画面である。
表示装置１０の制御部１１は、表示部１３を制御して、第２表示面１３２に第２操作画面Ｒ２を表示する（ステップＳＤ１）。次に、制御部１１は、第２操作画面Ｒ２のアイコンを選択する操作を受け付けたかどうかを判断する（ステップＳＤ２）。ここで、図１３（ａ）に示すように、第２操作画面Ｒ２のアイコンｗｅｂＡが、ユーザの指Ｆによって行われた操作で選択された場合を考える。この場合、制御部１１は、ステップＳＤ２の処理で「ＹＥＳ」と判断し、ステップＳＤ３の処理に進める。
【００４２】
次に、制御部１１は、選択されたアイコンに対応するコンテンツを、第１表示面１３１に表示する（ステップＳＤ３）。アイコンｗｅｂＡが選択された場合、図１３（ｂ）に示すように、制御部１１は、ウェブコンテンツＡを第１表示面１３１に表示する。この際、制御部１１は、ウェブコンテンツＡのコンテンツデータを記憶部１５から読み出して、アイコンの配置時、即ち、長押し操作されたときの状態でウェブコンテンツＡを表示する。
【００４３】
次に、制御部１１は、選択されたアイコンを、第２表示面１３２から削除する（ステップＳＤ４）。アイコンｗｅｂＡが選択された場合、制御部１１は、図１３（ｂ）に示すように、アイコンｗｅｂＡを削除し、アイコンｗｅｂＢ，ｗｅｂＣの表示を継続する。更に、制御部１１は、選択されたアイコンに対応するコンテンツデータを、記憶部１５から削除してもよい。
【００４４】
次に、制御部１１は、第２操作画面Ｒ２の表示を終了するかどうかを判断する（ステップＳＤ５）。制御部１１は、第２操作画面Ｒ２の表示を継続する場合は（ステップＳＤ５；ＮＯ）、ステップＳＤ２の処理に戻す。他方、制御部１１は、別の画面に遷移させたり、第２表示面１３２の画面表示を終了したりする場合は、ステップＳＤ５の処理で「ＹＥＳ」と判断し、第２操作画面Ｒ２の表示を終了する。
なお、ステップＳＤ２の処理でアイコンを選択する操作を受け付けていないと判断した場合（ステップＳＤ２；ＮＯ）、制御部１１は、ステップＳＤ５の処理に進める。
【００４５】
本動作例２によれば、ユーザが第１表示面１３１でコンテンツを閲覧している場合に、当該コンテンツの閲覧を一時中断して、後で閲覧しようとするときには、このコンテンツを長押し操作することによって、第２表示面１３２にアイコンを作成、配置させることができる。ユーザは、第２表示面１３２に表示されたアイコンを選択する操作をすると、第１表示面１３１で、コンテンツを再び閲覧することができる。また、ユーザがアイコンを操作してコンテンツを閲覧した場合には、当該アイコンが第２表示面１３２から削除される。これにより、ユーザにとっては、自身が興味を持ったコンテンツを一時的に保持させた後、該当コンテンツを忘れることなく閲覧することができる。また、上述した動作例１と同様に、ユーザは、コンテンツを第１表示面１３１に押し込むような操作をすることで、その奥側にある第２表示面１３２にアイコンを配置させることができる。
【００４６】
本動作例２において、制御部１１は、第２表示面１３２にアイコンを配置するのではなく、クリップボードに基づいてコンテンツ（いわゆるｗｅｂクリップ）を配置してもよい。クリップボードに基づいてコンテンツを複数表示する場合、制御部１１は、接触センサ１２２を用いてユーザの操作を受け付けて、コンテンツの表示を切り替えてもよい。例えば、図１４に示すように、制御部１１は、クリップボードを所定の方向（ここでは右方向）に順次配置し、ユーザの操作（例えば、矢印Ｄ方向に指Ｆを滑らせる操作）に応じて、コンテンツの表示を切り替える。クリップボードに基づくコンテンツが選択されたときの表示装置１０の動作は、アイコンが選択されたときと同じでよい。
【００４７】
また、制御部１１は、第２表示面１３２において、コンテンツデータのリソース順となるように、アイコン又はコンテンツを並べてもよい。例えば、制御部１１は、コンテンツデータのデータ量が大きい順に並べる。この場合、ユーザは、コンテンツデータの容量が相対的に大きいコンテンツを認識しやすい。このため、記憶部１５のコンテンツデータの記憶領域を早期に開放できるように、ユーザは、リソース量の大きいコンテンツデータのコンテンツを優先的に閲覧することも可能である。
【００４８】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
上述した実施形態の動作例１において、表示装置１０は、第２表示面１３２におけるアイコンの表示位置（配置位置）をユーザに指定させてもよい。
この変形例の制御部１１は、上述した実施形態で説明した機能に加えて、図４に示す第３受付部１１４に相当する機能を実現する。
第３受付部１１４は、第２表示面１３２における第２オブジェクト（アイコン）の表示位置を変更する操作（第３操作）を受け付ける。第２受付部１１２は、例えば、接触センサ１２１から供給される操作信号に基づいて、操作を受け付ける。
表示制御部１１３は、第２表示面１３２における第２オブジェクトの表示位置を変更する操作が、第３受付部１１４で受け付けられるときに、第２表示面１３２の表示画面を第１表示面１３１において透過表示する。第２表示面１３２の表示画面の透過表示は、例えば、当該表示画面を半透明にする透明処理を施して、第１表示面１３１の表示画面に重ねて表示することにより行われる。そして、表示制御部１１３は、第３受付部１１４で受け付けられた操作で指定された表示位置に、第２オブジェクトを表示する。
【００４９】
図１５は、表示装置１０が第２表示面１３２にアイコンを配置するときに実行する実行する処理の流れを示すフローチャートである。図１６は、表示装置１０が第２表示面１３２にアイコンを配置するときに表示する画面例を示す図である。以下の説明において、上述した実施形態の動作例１と同じ処理ステップについては同じステップを使用し、その説明を省略又は簡略化する。
表示装置１０の制御部１１は、第１表示面１３１に第１操作画面Ｒ１を表示し（ステップＳＡ１）。アイコンの長押し操作を受け付けたと判断すると（ステップＳＡ２；ＹＥＳ）、第１表示面において第２操作画面Ｒ２を透過表示する（ステップＳＡ１１）。
【００５０】
ここで、図１６（ａ）に示すように、ユーザがアイコンＩ８を長押し操作した場合を考える。この場合、図１６（ｂ）に示すように、制御部１１は、第１操作画面Ｒ１に重ねて、透過画像Ｒ２ｔを表示する。図１６において、透過表示が行われている領域を、中間調を用いて表す。また、第１操作画面Ｒ１のうち、第２操作画面Ｒ２の透過表示が行われている領域を破線で表し、それ以外の領域を実線で表す。透過画像Ｒ２ｔは、第２操作画面Ｒ２の透過度を高くした画像に等しい。ウィンドウＷｔは、透過度が異なること以外は、見かけ上はウィンドウＷと同じである。透過画像Ｒ２ｔは、ここでは、第１操作画面Ｒ１よりもユーザ側の階層に配置される。また、制御部１１は、第１表示面１３１のうち、第２表示面１３２と重なる領域で、透過表示を行う。この第２操作画面Ｒ２を見たユーザは、第１表示面１３１を見ながら、第２操作画面Ｒ２においてアイコンを配置できる位置を把握することができる。
【００５１】
図１５に戻り、制御部１１は、長押し操作されたアイコンの表示位置を変更する操作を受け付けたかどうかを判断する（ステップＳＡ１２）。制御部１１は、接触センサ１２２を用いた第１表示面１３１に対する操作によって、アイコンの表示位置を指示する操作を受け付ける。ここでは、ユーザは、長押し操作したアイコンＩ８を、透過画像Ｒ２ｔの表示領域上の所定の位置に移動させる操作を行う。図１６（ｃ）には、ユーザが、透過画像Ｒ２ｔの表示領域のうちの右上部の位置に移動させた場合が例示されている。
【００５２】
制御部１１は、アイコンの表示位置が確定されるまでは（ステップＳＡ１２；ＮＯ）、第２操作画面Ｒ２の透過表示を継続し、アイコンの表示位置が確定されると、第２操作画面Ｒ２にアイコンを配置し、表示する（ステップＳＡ１３）。
図１７は、表示装置１０が第２表示面１３２にアイコンを配置した後に表示する画面例を示す図である。図１７に示すように、制御部１１は、透過画像Ｒ２ｔ上に移動させられたアイコンの位置と、第２操作画面上のアイコンの表示位置とが同じとなるように、第２表示面１３２でのアイコンの表示位置を決定する。ここでは、制御部１１は、第２操作画面Ｒ２における右上部の位置に、アイコンＩ８ｓを配置する。
制御部１１が実行するその他の処理は、上述した実施形態と同じでよいので、説明を省略する。
【００５３】
制御部１１は、第２操作画面Ｒ２の透過表示を行う場合に、第２操作画面Ｒ２を左右方向に反転させた透過画像（即ち鏡像）を表示させてもよい。この場合、制御部１１は、図１８に示す透過表示を行う。この透過表示を行うことにより、ユーザは、第２操作画面Ｒ２が表示装置１０を通して透けて見えるような感覚を得ることができる。
【００５４】
この変形例の表示装置１０によれば、ユーザが第２表示面１３２におけるアイコンの表示位置を指定（変更）する場合に、第１表示面１３１の表示を見て、第１表示面１３１に対する操作によって、所望する表示位置を指定しやすくなる。
なお、透過表示は、透過画像Ｒ２ｔが、第１操作画面Ｒ１よりもユーザからみて奥側の階層に配置する方法で行われてもよい。この場合、制御部１１は、第１操作画面Ｒ１の透過度を、透過表示しない場合に比べて高くするとよい。
【００５５】
（変形例２）
表示装置１０は、ユーザが行った長押し操作に応じた表示属性に従って、第２表示面１３２にアイコンを表示してもよい。表示属性は、機能の表示に関する属性であり、当該機能を表すオブジェクトの表示方法を規定する。表示属性の一例として、オブジェクトの表示サイズがある。
この変形例の制御部１１は、上述した実施形態で説明した機能に加えて、図４に示す表示属性設定部１１５に相当する機能を実現する。
表示属性設定部１１５（設定部）は、第１受付部１１１が受け付けた第１オブジェクトの表示位置を指示する操作に応じて、機能の表示属性を設定する。
表示制御部１１３は、表示属性設定部１１５が設定した表示属性に従って、第２表示面１３２に第２オブジェクトを表示する。
【００５６】
図１９は、表示装置１０が第２表示面１３２にアイコンを配置するときに実行する処理の流れを示すフローチャートである。図２０は、表示装置１０が第２表示面１３２にアイコンを配置するときに表示する画面例を示す図である。以下の説明において、上述した実施形態の動作例１と同じ処理ステップについては同じステップを使用し、その説明を省略又は簡略化する。
表示装置１０の制御部１１は、第１表示面１３１に第１操作画面Ｒ１を表示する（ステップＳＡ１）。アイコンの長押し操作を受け付けたと判断すると（ステップＳＡ２；ＹＥＳ）、制御部１１は、第２表示面１３２におけるアイコンの表示属性を設定する（ステップＳＡ２１）。例えば、制御部１１は、長押し操作された時間の長さに応じて、表示属性を設定する。例えば、制御部１１は、長押し操作の時間がｔ１秒以上ｔ２未満であれば、アイコンの表示サイズを「小」とし、ｔ２秒以上ｔ３未満であれば、アイコンの表示サイズを「中」とし、ｔ３秒以上であれば、アイコンの表示サイズを「大」とする。ここで、上述した実施形態で説明したウェブコンテンツＡが表示サイズ「大」、ウェブコンテンツＢが表示サイズ「中」、ウェブコンテンツＣが表示サイズ「小」と設定された場合、制御部１１は、例えば、図２０に示す第２操作画面Ｒ２を表示する。
【００５７】
制御部１１は、長押し操作の時間に限らず、長押し操作されたときに第１表示面１３１に作用した力の大きさを検出し、検出した力の大きさに応じた表示属性を設定してもよい。例えば、制御部１１は、第１表示面１３１に作用する力が大きいほど、オブジェクトの表示サイズを大きくする。これ以外にも、制御部１１は、単位時間にアイコンの表示位置を押した回数や頻度、押す操作のパターン等の各種の操作方法に応じて、表示属性を設定してもよい。
【００５８】
表示属性は、アイコンの表示サイズのほか、アイコンの表示時間であってもよい。例えば、制御部１１は、長押し操作の時間が長いほど、又は、第１表示面１３１に作用する力が大きいほど、アイコンの表示時間を長くする。この場合、制御部１１は、設定した表示時間を経過したアイコンについては、第２表示面１３２から削除する。この際、制御部１１は、削除したアイコンに対応するコンテンツデータを、記憶部１５から削除してもよい。
また、表示属性は、アイコンを所定のカテゴリに分類するときのカテゴリを指定する情報であってもよい。このカテゴリは、任意に定められてよいが、例えば、今日中に見るコンテンツに対応するアイコンが属するカテゴリと、１週間以内に見るコンテンツに対応するアイコンが属するカテゴリといった、ユーザの関心度合いに従って分類されるカテゴリがある。
また、表示属性は、第２表示面１３２にアイコンが配置されるときの表示形態であってもよい。例えば、制御部１１は、長押し操作の方法（前述した長押し操作の時間や力の大きさ等）に応じて、アイコンの濃度を徐々に高くする表示を行ってもよい。例えば、制御部１１は、長押し操作の時間が長いほど、又は、長押し操作の力が大きいほど、より急速にアイコンの濃度が高くなるようにする。
また、制御部１１は、第２表示面１３２でアイコンを表示するか、又は、上述した動作例２で説明したクリップボードに基づいてコンテンツを表示するか、という表示属性を設定してもよい。
【００５９】
（変形例３）
表示装置１０は、第１表示面１３１に表示したアイコンが長押し操作された場合に、第２表示面１３２において当該長押し操作された位置と重なる位置に、アイコンを配置し、表示してもよい。例えば、図２１に示すように、第１表示面１３１において左上部にあるアイコンＩ１が長押し操作された場合、制御部１１は、第２表示面１３２において右上部にアイコンＩ１ｓを表示する。
この表示の場合、ユーザは、アイコンを第１表示面１３１に押し込むような操作をすることで、その奥側にある第２表示面１３２上の位置にアイコンを配置させることができる。
【００６０】
また、表示装置１０は、第１表示面１３１に表示したアイコンが長押し操作された場合に、第２表示面１３２においてユーザの指が接触しにくい位置を、アイコンの表示位置に決定してもよい。この表示位置は、予め決められていてもよいし、接触センサ１２２の検出結果に基づいて制御部１１が決定してもよい。後者の場合、制御部１１は、接触センサ１２２に基づいて、所定時間以上継続して接触操作を検出する位置以外の位置を、アイコンの表示位置とする。所定時間以上継続して接触操作が検出される位置は、表示装置１０がユーザによって把持されたときに、手が接触する位置と推測されるからである。
【００６１】
（変形例４）
上述した実施形態の動作例２において、表示装置１０は、第２表示面１３２に表示されたアイコンを選択する操作を受け付けると、選択されたアイコンに対応するコンテンツを、第２表示面１３２に表示してもよい。
【００６２】
（変形例５）
上述した実施形態のオブジェクトは、アイコン、コンテンツ又はウィンドウであったが、この例に限られない、本発明のオブジェクトは、例えば、機能の名称や説明文などの文字列を付したメニュー（例えばメニューバー）であってもよく、表示画面を構成する表示要素（画像要素）となるものであればよい。
また、本発明のオブジェクトが表す機能は、アプリケーションプログラム又はアプリケーションプログラムにより実行される機能に限られない。
【００６３】
（変形例６）
表示装置１０が受け付けるアイコンに対する接触操作は、押し込む操作に限らず、例えば円等の図形を描く操作や、表示面をはじくような操作等の他の操作であってもよい。
また、表示装置１０は、接触操作に代えて又は組み合わせて、第１表示面１３１や第２表示面１３２に対して非接触で行われる近接操作を、近接センサを用いて検出してもよい。また、アイコンを選択する操作は、表示装置１０に設けられた物理キーを用いて行われてもよく、その具体的な操作方法は特に問わない。
また、表示装置１０は、第２表示面１３２に対する操作を接触操作又は近接操作で受け付けるのではなく、例えば物理キー等の操作手段を用いて、ユーザが行った操作を受け付けてもよい。更に、制御部１１は、第２表示面１３２上の位置を指示する操作を受け付けているときに、指示された位置をユーザに対して明示する表示（例えばカーソル表示）を、第１表示面１３１を用いて行ってもよい。
【００６４】
（変形例７）
上述した実施形態の動作例２において、第１表示面１３１で表示されるコンテンツと、第２表示面１３２で表示されるアイコンとの関係は、特に問わない。第１表示面１３１のコンテンツと、第２表示面１３２のアイコンとの関係は、例えば、ユーザが作成中のメモと、そのメモを開くためのアイコンであってもよいし、ゲーム画面と、アイコンが配置されたときの場面からゲームを再開するためのアイコンであってもよいし、再生中の音楽コンテンツと、アイコンが配置されたときに再生されていた音楽コンテンツを、配置時の時点から再生するためのアイコンであってもよい。
【００６５】
（変形例８）
表示装置１０において、第１表示面１３１と第２表示面１３２との形状や寸法の関係は特に問わない。例えば、第１表示面１３１と第２表示面１３２とが同一形状且つ同一サイズであってもよい。また、表示装置１０は、正面と背面とに表示面を有する表示装置でなくてもよい。例えば、表示装置１０は、正面等の同一面に２つの表示面を設けた表示装置であってもよい。また、表示装置１０は、互いに異なる方向を向く表示面として、正面と側面とに表示面をそれぞれ備えてもよい。
なお、第１表示面１３１と第２表示面１３２との上下方向が逆である場合に、変形例１で説明した透過表示を行うときには、制御部１１は、第２操作画面Ｒ２を上下方向に反転させて透過表示を行う。即ち、第１表示面１３１と第２表示面１３２との位置関係に応じて、反転の有無や反転方向が異なることが望ましい。更に、制御部１１は、透過表示における反転の有無や反転方向を、ユーザに対して明示する表示（例えばメッセージ又はアイコンの表示）を行ってもよい。
【００６６】
表示装置１０は、スマートフォン以外の表示装置であってもよく、例えばタブレット型コンピュータやフィーチャーフォン、パーソナルコンピュータ、ＰＤＡ（Personal Digital Assistant）、携帯型ゲーム機、携帯型音楽プレーヤ等のＧＵＩを提供する表示装置であればよい。
また、本発明の表示装置は、少なくとも、オブジェクトの表示制御を行う機能を有していればよい。例えば、オブジェクトが選択されたときに実行される機能（例えば、アプリケーションプログラムの実行）については、表示装置とは別に設けられた装置（処理装置）に制御されてもよい。
上述した各実施形態において、表示装置１０の制御部１１が実現する各機能は、複数のプログラムの組み合わせによって実現され、又は、複数のハードウェア資源の連係によって実現されうる。制御部１１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読取り可能な記録媒体に記憶した状態で提供されてもよいし、ネットワークを介して配信されてもよい。また、本発明は、表示方法として把握することも可能である。
【符号の説明】
【００６７】
１０…表示装置、１１…制御部、１１１…第１受付部、１１２…第２受付部、１１３…表示制御部、１１３ａ…第１表示制御部、１１３ｂ…第２表示制御部、１１４…第３受付部、１１５…表示属性設定部、１２…センサ部、１２１，１２２…接触センサ、１３…表示部、１３１…第１表示面、１３２…第２表示面、１４…通信部、１５…記憶部。
【図１】
2015170290.tif 000003
【図２】
2015170290.tif 000004
【図３】
2015170290.tif 000005
【図４】
2015170290.tif 000006
【図５】
2015170290.tif 000007
【図６】
2015170290.tif 000008
【図７】
2015170290.tif 000009
【図８】
2015170290.tif 000010
【図９】
2015170290.tif 000011
【図１０】
2015170290.tif 000012
【図１１】
2015170290.tif 000013
【図１２】
2015170290.tif 000014
【図１３】
2015170290.tif 000015
【図１４】
2015170290.tif 000016
【図１５】
2015170290.tif 000017
【図１６】
2015170290.tif 000018
【図１７】
2015170290.tif 000019
【図１８】
2015170290.tif 000020
【図１９】
2015170290.tif 000021
【図２０】
2015170290.tif 000022
【図２１】
2015170290.tif 000023